(57)【要約】【課題】従来のアナログ/デジタル放送受信機において、従来のデジタル放送の自動チャンネルサーチ方法では、ユーザーにとって不要なチャンネルまでプリセットしてしまうという課題があった。【解決手段】デジタル放送を受信するチューナ部１０２と、受信したデジタル放送チャンネルの所定のチャンネルの所定の周波数における信号レベルを検出するデジタル信号レベル検出部２０３と、検出した信号レベルが所定値以上である場合、所定のチャンネルには放送が存在すると判定する制御部１１４と、を備える放送受信機。【選択図】図２
2011142427.tif 000002
【特許請求の範囲】
【請求項１】
デジタル放送を受信するチューナ部と、
前記受信したデジタル放送の所定のチャンネルの所定の周波数における信号レベルを検出するデジタル信号レベル検出部と、
前記検出した信号レベルが所定値以上である場合、前記所定のチャンネルには放送が存在すると判定する制御部と、
を備える放送受信機。
【請求項２】
前記所定の周波数は、複数の周波数からなることを特徴とする放送受信機。
【請求項３】
前記複数の周波数は、前記所定のチャンネルのセンター周波数を含むことを特徴とする放送受信機。
【請求項４】
デジタル放送を受信するステップと、
前記受信したデジタル放送の所定のチャンネルの所定の周波数における信号レベルを検出するステップと、
前記検出した信号レベルが所定値以上である場合、前記所定のチャンネルには放送が存在すると判定するステップと、
を備える自動チャンネルプリセット方法。
【発明の詳細な説明】
【技術分野】
【０００１】
本発明は、複数チャンネルのアナログ放送と複数チャンネルのデジタル放送を含む放送信号を受信するアナログ／デジタル放送受信機、複数チャンネルのデジタル放送の放送信号を受信するデジタル放送受信機に関する。
【背景技術】
【０００２】
従来のアナログ／デジタル放送受信機において、チャンネルオートサーチ時に、各チャンネルの有無を判断する順番を、アナログ放送有無の判断、入力信号有無の判断、デジタル放送有無の判断の順番にし、さらに、デジタル放送有無の判断は、アナログ放送無しでかつ入力信号ありという条件から判断するようにし、チャンネルオートサーチ時間を大幅に軽減するものが知られている（例えば、特許文献１参照）。
【先行技術文献】
【特許文献】
【０００３】
【特許文献１】特開２００６−２４９９４号公報
【発明の概要】
【発明が解決しようとする課題】
【０００４】
しかしながら、従来のアナログ／デジタル放送受信機においては、デジタル放送有無の判断が、アナログ放送無しでかつ入力信号有りの条件からなされるためチャンネル周波数付近に存在しうる何らかの信号、例えば携帯電話や無線信号などの放送信号以外の信号を受信した際にも、デジタル信号有りと判断して、チャンネルにプリセットされてしまう場合がある。
【０００５】
このようにプレセットされたチャンネルはユーザーにとっては不要なチャンネルであるため、ユーザーにチャンネルプリセットを削除する手間が発生する。
【課題を解決するための手段】
【０００６】
本発明の放送受信機は、デジタル放送を受信するチューナ部と、前記受信したデジタル放送の所定のチャンネルの所定の周波数における信号レベルを検出するデジタル信号レベル検出部と、前記検出した信号レベルが所定値以上である場合、前記所定のチャンネルには放送が存在すると判定する制御部と、を備える。
【０００７】
また、本発明の自動チャンネルプリセット方法は、デジタル放送を受信するステップと、前記受信したデジタル放送の所定のチャンネルの所定の周波数における信号レベルを検出するステップと、前記検出した信号レベルが所定値以上である場合、前記所定のチャンネルには放送が存在すると判定するステップと、を備える。
【０００８】
本発明の放送受信機、自動チャンネルプリセット方法によれば、短時間且つ正確にチャンネルを自動プリセット出来るという利点がある。
【発明の効果】
【０００９】
本発明の放送受信機、自動チャンネルプリセット方法によれば、短時間且つ正確にチャンネルを自動プリセット出来るという利点がある。
【図面の簡単な説明】
【００１０】
【図１】本発明の実施例１に関わるアナログ／デジタル放送受信機のブロック図
【図２】本発明の実施例１に関わるアナログ／デジタル放送受信機の自動オートチャンネルサーチの処理の流れを示すフローチャート
【図３】デジタル放送のスペクトラム信号を示す図
【発明を実施するための形態】
【００１１】
以下本発明を実施するための最良の形態について、図面を参照しながら説明する。
【実施例１】
【００１２】
図１は、本発明の実施例に関わるアナログ／デジタル放送受信機のブロック図である。
【００１３】
図１において、アンテナ１０１は、放送局から複数チャンネルのアナログ放送と複数チャンネルのデジタル放送とが混在した放送信号を受信する。このアンテナ１０１で受信した信号は、アナログ／デジタル放送共用チューナ１０２に供給される。チューナ１０２には、制御マイコン１１４からユーザーが希望するチャンネルの周波数情報や、オートサーチアルゴリズムで設定される周波数情報が送られてくる。チューナ１０２はその周波数情報に基づいて、後段のアナログ復調、デジタル復調で使用されるＩＦ周波数に周波数変換する役割を持っている。
【００１４】
ユーザーの選局したチャンネルがアナログ放送の場合は、ＡＧＣ切替スイッチ２０１がアナログ放送受信の系に切り替えられ、チューナ１０２の選局出力信号は、アナログ信号レベル検出部１０３に供給され、選局した信号の振幅レベルが検出される。この検出結果はアナログＡＧＣ制御部１０４のＡＧＣ制御信号生成に使用され、ＡＧＣ制御信号により、入力信号を後段のアナログ復調部１０６にとって最適なレベルに調整する。
【００１５】
ユーザーの選局したチャンネルがデジタル放送の場合は、ＡＧＣ切替スイッチ２０１がデジタル放送受信の系に切り替えられ、チューナ１０２の選局出力信号は、デジタル信号レベル検出部２０３に供給され、選局した信号の振幅レベルが検出される。この検出結果はデジタルＡＧＣ制御部２０４のＡＧＣ制御信号生成に使用され、ＡＧＣ制御信号により、入力信号を後段のデジタル復調部１０８にとって最適なレベルに調整するとともに、この検出結果はデジタル放送有無判定部１０５に供給される。
【００１６】
チューナ１０２の選局出力は、アナログ放送復調部１０６又はデジタル放送復調部１０８に供給される。ユーザーが選局したチャンネルがアナログ放送の場合、アナログ放送復調部１０６でアナログ復調され、後段のアナログ／デジタル切替部１１０に供給される。またアナログ放送復調部１０６で得られるアナログ同期信号は、アナログ放送有無判定部１０７に供給される。ユーザーが選局したチャンネルがデジタル放送の場合、デジタル復調部１０８にてデジタル復調され、後段のアナログ／デジタル切替部１１０に供給される。またデジタル放送復調部１０８で得られるデジタル同期信号はチャンネル情報検出部１１２へ出力される。
【００１７】
チャンネル情報検出部１１２は、アナログ放送判定部１０７のアナログ放送有無の情報と、デジタル放送有無判定部１０５のデジタル放送有無の情報と、デジタル放送復調部１０８のデジタル同期情報を管理し、制御マイコン１１４に伝える。チャンネル情報メモリ部１１３は、制御マイコン１１４からの各チャンネル情報をメモリしておく役割を持つ。
【００１８】
また制御マイコン１１４は、ユーザーの選局したチャンネル情報や、チャンネルオートサーチ指示信号に基づいて、チューナ１０２の選局、ＡＧＣ切替部２０１及びアナログ／デジタル切替部１１０の切り替え、チャンネル情報検出部１１２からの情報管理及び、チャンネル情報メモリ部１１３への各チャンネル情報の書き込みなどのシステム全体の制御を行う。
【００１９】
図２に本発明の実施例１に関わるチャンネルオートサーチの処理の流れを示す。ここでは一例として、チャンネルが１ｃｈから１３５ｃｈまでの放送をチャンネルオートサーチする際の処理を説明する。
【００２０】
まず、チャンネルオートサーチが指示されると、制御マイコン１１４は最初にＣＨ＝１を設定して（ステップＳ１）そのチャンネルのサーチを行い（ステップＳ２）、アナログ同期信号が取得できるか否かの判定を行なう（ステップＳ３）。ＣＨ＝１がアナログ放送であった場合、アナログ放送復調部１０６にてアナログ同期信号が取得され、そのアナログ同期信号がアナログ放送判定部１０７に供給され、このチャンネルはアナログ放送であると判定され（ステップＳ３でＹ）、チャンネル情報メモリ部１１３に情報がメモリされる（ステップＳ１２）。
【００２１】
ＣＨ＝１がアナログ放送で無い場合（ステップＳ３でＮ）は、デジタル信号レベル検出部２０３で検出した信号レベルから、デジタル放送有無の判断をする。
【００２２】
デジタル放送有無の判断方法として、デジタル放送搬送波の帯域特性を利用する。図３にデジタル放送搬送波のスペクトラム波形を示す。デジタル放送のチャンネル（ここではＣＨ＝１）のセンター周波数（図３（１））から２ＭＨｚ低い周波数（図３の（１））、センター周波数から２ＭＨｚ低い周波数（図３（３））の周波数における信号レベルがそれぞれ所定値以上であれば、デジタル放送有りとする。
【００２３】
具体的には、ステップＳ３でＣＨ＝１がアナログ放送で無い（Ｎ）と判断した場合、制御マイコン１１４は、チューナ１０２をデジタル放送チャンネルＣＨ＝１のセンター周波数（１）に設定し（ステップＳ４）、その周波数の信号レベルをデジタル信号レベル検出部２０３で検出する（ステップＳ５）。
【００２４】
そのデジタル信号レベルが所定値以上であれば（ステップＳ５でＹ）、次にＣＨ＝１のセンター周波数から周波数が減少する方向に振った周波数（２）（ここでは、センター周波数から−２ＭＨｚ振った周波数）にチューナ１０２を設定し（ステップＳ６）、ＣＨ＝１のセンター周波数から−２ＭＨｚずらした周波数でのデジタル信号レベルをデジタル信号レベル検出部２０３で検出する（ステップＳ７）。
【００２５】
そのデジタル信号レベルが所定値以上であれば（ステップＳ７でＹ）、次にＣＨ＝１のセンター周波数から周波数が増加する方向に振った周波数（３）（ここでは、＋２ＭＨｚ振った周波数）にチューナ１０２を設定し（ステップＳ８）、ＣＨ＝１のセンター周波数から＋２ＭＨｚずらした周波数でのデジタル信号レベルをデジタル信号レベル検出部２０３で検出する（ステップＳ９）。そのデジタル信号レベルが所定値以上であれば（ステップＳ９でＹ）、デジタル放送有りと判定し、チャンネル情報メモリ部１１３に情報がメモリされる。
【００２６】
一方、ステップＳ５、ステップＳ７、ステップＳ９において、それぞれの周波数におけるデジタル信号レベルが所定値未満であれば、ＣＨ＝１には放送無しと判断し、チャンネル情報メモリ部１０６に、ＣＨ＝１には放送無しという信号が送られメモリされる。
この動作をＣＨ＝１からＣＨ１３５まで繰り返す。
【００２７】
なお、今回の入力信号レベルを検出する周波数（２）、（３）については、（１）から±２ＭＨｚさせた周波数で動作説明しているが、これに限らない。
【００２８】
また、本実施例においては、放送局から複数チャンネルのアナログ放送と複数チャンネルのデジタル放送とが混在した放送信号を受信する場合について説明したが、複数チャンネルのデジタル放送のみの放送信号を受信する場合は、図２においてステップＳ５からチャンネルオートサーチの処理を行えば良い。
【００２９】
以上説明したように、本発明の放送受信機によれば、短時間且つ正確にチャンネルを自動プリセット出来る。
【産業上の利用可能性】
【００３０】
本発明によれば、短時間且つ正確にチャンネルを自動プリセット出来、かかる自動チャンネルプリセット機能を保持した放送受信機、自動チャンネルプリセット方法として有用である。
【符号の説明】
【００３１】
１０１    アンテナ
１０２    チューナ
１０３    アナログ信号レベル検出手段
１０４    アナログＡＧＣ制御手段
１０５    デジタル放送有無判定部
１０６    アナログ放送復調部
１０７    アナログ放送有無判定部
１０８    デジタル放送復調部
１１０    アナログ／デジタル切替部
１１２    チャンネル情報検出部
１１３    チャンネル情報メモリ部
１１４    制御マイコン
２０１    ＡＧＣ切替スイッチ
２０３    デジタル信号レベル検出部
２０４    デジタルＡＧＣ制御部
【図１】
2011142427.tif 000003
【図２】
2011142427.tif 000004
【図３】
2011142427.tif 000005